(57)【要約】      （修正有）【課題】玄関子機の映像を出画する増設親機および居室親機での電力消費を抑える。【解決手段】玄関子機１の呼出ボタンを操作すると、居室親機２及び増設親機３から呼出音が放音される。子機映像は居室親機の親機モニタのみ出画されることにより、増設親機の省電力化を図ることができる。居室親機にて応答操作をしたときには、玄関子機および親機通話部の間で通話が成立されるとともに、増設親機通話部の呼出音を停止させる。増設親機にて第１の応答操作をしたときには、映像を増設親機モニタに出画させ、電力消費が大きい親機モニタでの映像の出画が停止されて省電力化を図るとともに、親機通話部からの呼出音を停止させる。増設親機にて第２の応答操作をしたときには、増設親機モニタにて出画を維持しながら玄関子機のマイク、スピーカおよび増設親機通話部の間で通話を成立させることができる。【選択図】図１
2006135624.tif 000002
【特許請求の範囲】
【請求項１】
呼出ボタン（１００）、カメラ（１０１）、マイク（１０２）、スピーカ（１０３）を有する玄関子機（１）と、前記玄関子機の前記カメラにて撮像された映像を出画するための親機モニタ（２００）および前記マイク、前記スピーカの間で通話を成立させるための親機通話部（２０１、２０２、２０９）を有する居室親機（２）と、前記玄関子機の前記カメラにて撮像された映像を出画するための増設親機モニタ（３００）および前記マイク、前記スピーカの間で通話を成立させるための増設親機通話部（３０１、３０２）を有する増設親機（３）とを備えたテレビインターホン装置において、
前記玄関子機の前記呼出ボタンが操作されたときには、前記居室親機の前記親機通話部から呼出音が放音されるとともに、前記カメラにて撮像された映像が前記親機モニタに出画され、さらに前記増設親機の前記増設親機通話部から呼出音が放音され、
前記居室親機にて応答操作をしたときには、前記玄関子機の前記マイク、前記スピーカおよび前記親機通話部の間で通話を成立させるとともに、前記増設親機の前記増設親機通話部から放音される前記呼出音を停止し、
前記増設親機にて第１の応答操作をしたときには、前記玄関子機の前記カメラにて撮像された映像を前記増設親機モニタに出画し、第２の応答操作をしたときには、前記増設親機モニタにて前記映像の出画を維持しながら前記玄関子機の前記マイク、前記スピーカおよび前記増設親機通話部の間で通話を成立させることを特徴とするテレビインターホン装置。
【請求項２】
呼出ボタン（１００）、カメラ（１０１）、マイク（１０２）、スピーカ（１０３）を有する玄関子機（１）と、前記玄関子機の前記カメラにて撮像された映像を出画するための親機モニタ（２００）および前記マイク、前記スピーカの間で通話を成立させるための親機通話部（２０１、２０２、２０９）を有する居室親機（２）と、前記玄関子機の前記カメラにて撮像された映像を出画するための増設親機モニタ（３００）および前記マイク、前記スピーカの間で通話を成立させるための増設親機通話部（３０１、３０２）を有する増設親機（３）とを備えたテレビインターホン装置において、
前記玄関子機の前記呼出ボタンが操作されたときには、前記居室親機の前記親機通話部から呼出音が放音されるとともに、前記カメラにて撮像された映像が前記親機モニタに出画され、少なくとも前記呼出ボタンを操作した時点の映像をメモリ（２０８）に保存し、さらに前記増設親機の前記増設親機通話部から呼出音が放音され、
前記居室親機にて応答操作をしたときには、前記玄関子機の前記マイク、前記スピーカおよび前記親機通話部の間で通話を成立させるとともに、前記増設親機の前記増設親機通話部から放音される前記呼出音を停止し、
前記増設親機にて第１の応答操作をしたときには、前記居室親機の前記メモリに保存した前記映像を前記増設親機モニタに出画し、第２の応答操作をしたときには、前記玄関子機の前記マイク、前記スピーカおよび前記増設親機通話部の間で通話を成立させることを特徴とするテレビインターホン装置。
【請求項３】
前記増設親機にて前記第２の応答操作をしたときには、前記玄関子機から送出される映像に切り替えて前記増設親機モニタに出画することを特徴とする請求項２記載のテレビインターホン装置。
【請求項４】
前記増設親機にて前記第１の応答操作をしたときには、前記居室親機の前記親機モニタでの出画および前記親機通話部からの呼出音の放音を停止させることを特徴とする請求項１乃至請求項３のうち何れか１項記載のテレビインターホン装置。
【請求項５】
呼出ボタン（１００）、カメラ（１０１）、マイク（１０２）、スピーカ（１０３）を有する玄関子機（１）と、前記玄関子機の前記カメラにて撮像された映像を出画するための親機モニタ（２００）および前記マイク、前記スピーカの間で通話を成立させるための親機通話部（２０１、２０２、２０９）を有する居室親機（２）と、前記玄関子機の前記カメラにて撮像された映像を出画するための増設親機モニタ（３００）および前記マイク、前記スピーカの間で通話を成立させるための増設親機通話部（３０１、３０２）を有する増設親機（３）とを備えたテレビインターホン装置において、
前記玄関子機の前記呼出ボタンが操作されたときには、前記居室親機の前記親機通話部から呼出音が放音され、さらに前記増設親機の前記増設親機通話部から呼出音が放音されるとともに、前記カメラにて撮像された映像が前記増設親機モニタに出画され、
前記増設親機にて応答操作したときには、前記玄関子機の前記マイク、前記スピーカおよび前記親機通話部の間で通話を成立させるとともに、前記居室親機の前記親機通話部から放音される前記呼出音を停止し、
前記居室親機にて第１の応答操作をしたときには、前記玄関子機の前記カメラにて撮像された映像を前記親機モニタに出画し、第２の応答操作をしたときには、前記親機モニタでの映像の出画を維持しながら前記マイク、前記スピーカおよび前記親機通話部の間で通話を成立させることを特徴とするテレビインターホン装置。
【請求項６】
呼出ボタン（１００）、カメラ（１０１）、マイク（１０２）、スピーカ（１０３）を有する玄関子機（１）と、前記玄関子機の前記カメラにて撮像された映像を出画するための親機モニタ（２００）および前記マイク、前記スピーカの間で通話を成立させるための親機通話部（２０１、２０２、２０９）を有する居室親機（２）と、前記玄関子機の前記カメラにて撮像された映像を出画するための増設親機モニタ（３００）および前記マイク、前記スピーカの間で通話を成立させるための増設親機通話部（３０１、３０２）を有する増設親機（３）とを備えたテレビインターホン装置において、
前記玄関子機の前記呼出ボタンが操作されたときには、前記居室親機の前記親機通話部および前記増設親機の前記増設親機通話部から呼出音が放音されるとともに、前記カメラにて撮像された映像が前記増設親機モニタに出画され、少なくとも前記呼出ボタンが操作された時点の映像がメモリ（２０８）に保存され、
前記増設親機にて応答操作をしたときには、前記玄関子機の前記マイク、前記スピーカおよび前記親機通話部の間で通話を成立させるとともに、前記居室親機の前記親機通話部から放音される前記呼出音を停止し、
前記居室親機にて第１の応答操作をしたときには、前記メモリに保存した前記映像を前記親機モニタに出画し、第２の応答操作をしたときには、前記玄関子機の前記マイク、前記スピーカおよび前記親機通話部の間で通話を成立させることを特徴とするテレビインターホン装置。
【請求項７】
前記居室親機にて前記第２の応答操作をしたときには、前記玄関子機から送出される映像に切り替えて前記親機モニタに出画することを特徴とする請求項６記載のテレビインターホン装置。
【請求項８】
前記居室親機にて前記第１の応答操作をしたときには、前記増設親機の前記増設親機モニタでの出画および前記増設親機通話部からの前記呼出音の放音を停止させることを特徴とする請求項５乃至請求項７のうち何れか１項記載のテレビインターホン装置。
【発明の詳細な説明】
【技術分野】
【０００１】
本発明はテレビインターホン装置に係り、特に、玄関子機のカメラにて撮像された映像を出画する増設親機および居室親機での電力消費を抑えて省電力化が図られたテレビインターホン装置に関する。
【背景技術】
【０００２】
従来から、この種のテレビインターホン装置として、玄関子機の呼出ボタンを操作するような玄関に居る来訪者からの呼び出しがあると、この呼び出しを検出した居室親機のスピーカおよび増設親機のスピーカでは呼出音（音声メッセージを含む。）がそれぞれ放音されるとともに、居室親機からの電源供給によって駆動する玄関子機のカメラにて撮像された映像が居室親機のモニタおよび増設親機のモニタにそれぞれリアルタイムの映像として出画されるテレビインターホン装置が開示されている（例えば、非特許文献１を参照。）。
【０００３】
【非特許文献１】アイホン総合カタログ  ２００４／２００５年版（１２〜１５頁等）
【発明の開示】
【発明が解決しようとする課題】
【０００４】
しかしながら、従来例のテレビインターホン装置では、玄関子機の呼出ボタンを操作するような玄関に居る来訪者からの呼び出しがある度に、玄関子機のカメラにて撮像された映像を居室親機のモニタおよび増設親機のモニタにそれぞれ出画させていたため、特に、増設親機として携帯電話、ＰＤＡ（Personal Digital Assistant）等を適用し、この増設親機および居室親機の間が無線によって接続されていると、出画状態である増設親機のモニタにて消費される電力が大きく、この動作電源は、当該増設親機に内蔵された電池に依存されるため、当該電池への迅速な充電作業が必要となる虞があった。
【０００５】
本発明は、前述の難点を解消するためになされたもので、玄関子機の呼出ボタンを操作するような玄関に居る来訪者からの呼び出しがあったときに、玄関子機のカメラにて撮像された映像を出画する増設親機および居室親機での電力消費を抑えて省電力化が図られたテレビインターホン装置を提供することを目的としている。
【課題を解決するための手段】
【０００６】
前述の目的を達成するため、本発明のテレビインターホン装置は、呼出ボタン、カメラ、マイク、スピーカを有する玄関子機と、玄関子機のカメラにて撮像された映像を出画するための親機モニタおよびマイク、スピーカの間で通話を成立させるための親機通話部を有する居室親機と、玄関子機のカメラにて撮像された映像を出画するための増設親機モニタおよびマイク、スピーカの間で通話を成立させるための増設親機通話部を有する増設親機とを備えている。このテレビインターホン装置において、玄関子機の呼出ボタンが操作されたときには、居室親機の親機通話部から呼出音が放音されるとともに、カメラにて撮像された映像が親機モニタに出画され、さらに増設親機の増設親機通話部から呼出音が放音される。居室親機にて応答操作をしたときには、玄関子機のマイク、スピーカおよび親機通話部の間で通話を成立させるとともに、増設親機の増設親機通話部から放音される呼出音を停止する。増設親機にて第１の応答操作をしたときには、玄関子機のカメラにて撮像された映像を増設親機モニタに出画し、第２の応答操作をしたときには、増設親機モニタにて映像の出画を維持しながら玄関子機のマイク、スピーカおよび増設親機通話部の間で通話を成立させるものである。
【０００７】
また、本発明のテレビインターホン装置は、呼出ボタン、カメラ、マイク、スピーカを有する玄関子機と、玄関子機のカメラにて撮像された映像を出画するための親機モニタおよびマイク、スピーカの間で通話を成立させるための親機通話部を有する居室親機と、玄関子機のカメラにて撮像された映像を出画するための増設親機モニタおよびマイク、スピーカの間で通話を成立させるための増設親機通話部を有する増設親機とを備えている。このテレビインターホン装置において、玄関子機の呼出ボタンが操作されたときには、居室親機の親機通話部から呼出音が放音されるとともに、カメラにて撮像された映像が親機モニタに出画され、少なくとも呼出ボタンを操作した時点の映像をメモリに保存し、さらに増設親機の増設親機通話部から呼出音が放音される。居室親機にて応答操作をしたときには、玄関子機のマイク、スピーカおよび親機通話部の間で通話を成立させるとともに、増設親機の増設親機通話部から放音される呼出音を停止する。増設親機にて第１の応答操作をしたときには、居室親機のメモリに保存した映像を増設親機モニタに出画し、第２の応答操作をしたときには、玄関子機のマイク、スピーカおよび増設親機通話部の間で通話を成立させるものである。
【０００８】
また、本発明のテレビインターホン装置において、増設親機にて第２の応答操作をしたときには、玄関子機から送出される映像に切り替えて増設親機モニタに出画する。
【０００９】
また、本発明のテレビインターホン装置において、増設親機にて第１の応答操作をしたときには、居室親機の親機モニタでの出画および親機通話部からの呼出音の放音を停止させる。
【００１０】
また、本発明のテレビインターホン装置は、呼出ボタン、カメラ、マイク、スピーカを有する玄関子機と、玄関子機のカメラにて撮像された映像を出画するための親機モニタおよびマイク、スピーカの間で通話を成立させるための親機通話部を有する居室親機と、玄関子機のカメラにて撮像された映像を出画するための増設親機モニタおよびマイク、スピーカの間で通話を成立させるための増設親機通話部を有する増設親機とを備えている。このテレビインターホン装置において、玄関子機の呼出ボタンが操作されたときには、居室親機の親機通話部から呼出音が放音され、さらに増設親機の増設親機通話部から呼出音が放音されるとともに、カメラにて撮像された映像が増設親機モニタに出画される。増設親機にて応答操作したときには、玄関子機のマイク、スピーカおよび親機通話部の間で通話を成立させるとともに、居室親機の親機通話部から放音される呼出音を停止する。居室親機にて第１の応答操作をしたときには、玄関子機のカメラにて撮像された映像を親機モニタに出画し、第２の応答操作をしたときには、親機モニタでの映像の出画を維持しながらマイク、スピーカおよび親機通話部の間で通話を成立させるものである。
【００１１】
また、本発明のテレビインターホン装置は、呼出ボタン、カメラ、マイク、スピーカを有する玄関子機と、玄関子機のカメラにて撮像された映像を出画するための親機モニタおよびマイク、スピーカの間で通話を成立させるための親機通話部を有する居室親機と、玄関子機のカメラにて撮像された映像を出画するための増設親機モニタおよびマイク、スピーカの間で通話を成立させるための増設親機通話部を有する増設親機とを備えている。このテレビインターホン装置において、玄関子機の呼出ボタンが操作されたときには、居室親機の親機通話部および増設親機の増設親機通話部から呼出音が放音されるとともに、カメラにて撮像された映像が増設親機モニタに出画され、少なくとも呼出ボタンが操作された時点の映像がメモリに保存される。増設親機にて応答操作をしたときには、玄関子機のマイク、スピーカおよび親機通話部の間で通話を成立させるとともに、居室親機の親機通話部から放音される呼出音を停止する。居室親機にて第１の応答操作をしたときには、メモリに保存した映像を親機モニタに出画し、第２の応答操作をしたときには、玄関子機のマイク、スピーカおよび親機通話部の間で通話を成立させるものである。
【００１２】
また、本発明のテレビインターホン装置において、居室親機にて第２の応答操作をしたときには、玄関子機から送出される映像に切り替えて親機モニタに出画する。
【００１３】
また、本発明のテレビインターホン装置において、居室親機にて第１の応答操作をしたときには、増設親機の増設親機モニタでの出画および増設親機通話部からの呼出音の放音を停止させる。
【発明の効果】
【００１４】
本発明のテレビインターホン装置によれば、玄関子機の呼出ボタンを操作すると、居室親機の親機通話部および増設親機の増設親機通話部からそれぞれ呼出音が放音される。一方、玄関子機のカメラにて撮像された映像は居室親機の親機モニタのみ出画されることにより、電力消費が大きい増設親機の増設親機モニタでの出画はなく省電力化を図ることができる。ここで、居室親機にて応答操作をしたときには、玄関子機のマイク、スピーカおよび親機通話部の間で通話が成立されるとともに、増設親機通話部から放音される呼出音を停止させることができる。一方、増設親機にて第１の応答操作をしたときには、カメラにて撮像された映像を増設親機モニタに出画させることができるばかりでなく、電力消費が大きい親機モニタでの映像の出画が停止されて省電力化を図ることができるとともに、親機通話部からの呼出音の放音を停止させることができる。また、増設親機にて第２の応答操作をしたときには、増設親機モニタにて映像の出画を維持しながら玄関子機のマイク、スピーカおよび増設親機通話部の間で通話を成立させることができる。
【００１５】
また、本発明のテレビインターホン装置によれば、玄関子機の呼出ボタンを操作すると、居室親機の親機通話部および増設親機の増設親機通話部からそれぞれ呼出音が放音される。一方、玄関子機のカメラにて撮像された映像は居室親機の親機モニタのみ出画されることにより、電力消費が大きいと増設親機の増設親機モニタでの出画はなく省電力化を図ることができるとともに、少なくとも呼出ボタンを操作した時点の映像を居室親機のメモリに保存することができる。ここで、居室親機にて応答操作をしたときには、玄関子機のマイク、スピーカおよび親機通話部の間で通話が成立されるとともに、増設親機通話部から放音される呼出音を停止させることができる。一方、増設親機にて第１の応答操作をしたときには、メモリに保存された映像を増設親機モニタに出画させることができるばかりでなく、電力消費が大きい親機モニタでの映像の出画が停止されて省電力化を図ることができるとともに、親機通話部からの呼出音の放音を停止させることができる。また、増設親機にて第２の応答操作をしたときには、増設親機モニタにて出画される映像を、メモリに保存された映像からカメラにて撮像されている映像に切り替えて出画するとともに、玄関子機のマイク、スピーカおよび増設親機通話部の間で通話を成立させることができる。
【００１６】
また、本発明のテレビインターホン装置によれば、玄関子機の呼出ボタンを操作すると、居室親機の親機通話部および増設親機の増設親機通話部からそれぞれ呼出音が放音される。一方、玄関子機のカメラにて撮像された映像は増設親機の増設親機モニタのみ出画されることにより、電力消費が大きい居室親機の親機モニタでの出画はなく省電力化を図ることができる。ここで、増設親機にて応答操作をしたときには、玄関子機のマイク、スピーカおよび増設親機通話部の間で通話が成立されるとともに、親機通話部から放音される呼出音を停止させることができる。一方、居室親機にて第１の応答操作をしたときには、カメラにて撮像された映像を親機モニタに出画させることができるばかりでなく、電力消費が大きい増設親機モニタでの映像の出画が停止されて省電力化を図ることができるとともに、増設親機通話部からの呼出音の放音を停止させることができる。また、居室親機にて第２の応答操作をしたときには、親機モニタにて映像の出画を維持しながら玄関子機のマイク、スピーカおよび親機通話部の間で通話を成立させることができる。
【００１７】
さらに、本発明のテレビインターホン装置によれば、玄関子機の呼出ボタンを操作すると、居室親機の親機通話部および増設親機の増設親機通話部からそれぞれ呼出音が放音される。一方、玄関子機のカメラにて撮像された映像は増設親機の増設親機モニタのみ出画されることにより、電力消費が大きいと居室親機の親機モニタでの出画はなく省電力化を図ることができるとともに、少なくとも呼出ボタンを操作した時点の映像を居室親機のメモリに保存することができる。ここで、増設親機にて応答操作をしたときには、玄関子機のマイク、スピーカおよび増設親機通話部の間で通話が成立されるとともに、親機通話部から放音される呼出音を停止させることができる。一方、居室親機にて第１の応答操作をしたときには、メモリに保存された映像を親機モニタに出画させることができるばかりでなく、電力消費が大きい増設親機モニタでの映像の出画が停止されて省電力化を図ることができるとともに、増設親機通話部からの呼出音の放音を停止させることができる。また、居室親機にて第２の応答操作をしたときには、親機モニタにて出画される映像を、メモリに保存された映像からカメラにて撮像されている映像に切り替えて出画するとともに、玄関子機のマイク、スピーカおよび親機通話部の間で通話を成立させることができる。
【発明を実施するための最良の形態】
【００１８】
以下、本発明のテレビインターホン装置を適用した最良の実施の形態例について、図面を参照して説明する。
【００１９】
図１は、本発明の実施例によるテレビインターホン装置を示すシステム構成図である。
【００２０】
図１のシステム構成図に示すテレビインターホン装置は、住戸の玄関に設置され、来訪者が住戸内に在室中の居住者を呼び出して通話を成立させるための玄関子機１と、住戸内に設置され、伝送線路Ｌ1を介して接続された玄関子機１からの呼び出し、すなわち、玄関に居る来訪者からの呼び出しを報知し、この呼び出しに応答した居住者が来訪者との間で通話を成立させるための居室親機２と、前述の居室親機２に無線接続されており、玄関子機１からの呼び出し、すなわち、玄関に居る来訪者からの呼び出しを報知し、この呼び出しに応答した居住者が来訪者との間で通話を成立させるための例えば、携帯電話、ＰＤＡ等の増設親機、ここでは、１台の増設親機３とを備えている。
【００２１】
なお、居室親機２および増設親機３の間は、前述のような無線接続の接続形態に限定されず、有線接続することもできる。または、増設親機３は、前述のような１台に限定されず、複数台の当該増設親機を備えることもできる。
【００２２】
図１のシステム構成図において、玄関子機１は、玄関に居る来訪者が住戸内に在室中の居住者を呼び出すために操作する呼出ボタン１００と、呼出操作を行った来訪者や玄関先の周囲近傍の映像を撮像するためのＣＣＤ（Charge Coupled Device）撮像素子、ＣＭＯＳ（Complementary Metal Oxide Semiconductor）撮像素子等のカメラ１０１と、来訪者が居住者との間で通話を成立させるにあたり音声（送話音声、受話音声）を入出力するためのマイク（以下、子機マイクという。）１０２およびスピーカ（以下、子機スピーカという。）１０３とを有している。
【００２３】
また、居室親機２は、玄関子機１のカメラ１０１にて撮像された映像、すなわち、呼出操作を行った来訪者や玄関先の周囲近傍の映像を出画するためのＬＣＤ（Liquid Crystal Display）、有機ＥＬ（Electro Luminescence）ディスプレイ等のモニタ（以下、親機モニタという。）２００と、玄関子機１の呼出ボタン１００を操作した来訪者からの呼び出しがある旨の呼出音（音声メッセージを含む。）を放音するとともに、この呼び出しに応答した居住者が来訪者との間で通話を成立させるにあたり当該来訪者からの受話音声を出力するための親機通話部を構成するスピーカ（以下、親機スピーカという。）２０１と、親機スピーカ２０１とともに親機通話部を構成し、居住者が来訪者との間で通話を成立させるにあたり送話音声を入力するためのマイク（以下、親機マイクという。）２０２と、玄関子機１の呼出ボタン１００を操作した来訪者からの呼び出しがあることを確認した居住者が応答操作を行うための通話ボタン、モニタ２００上のタッチパネル等の操作部（以下、親機操作部という。）２０３とを有している。
【００２４】
さらに、増設親機３は、玄関子機１のカメラ１０１にて撮像された映像、すなわち、呼出操作を行った来訪者や玄関先の周囲近傍の映像を出画するためのＬＣＤ、有機ＥＬディスプレイ等のモニタ（以下、増設親機モニタという。）３００と、玄関子機１の呼出ボタン１００を操作した来訪者からの呼び出しがある旨の呼出音（音声メッセージを含む。）を放音するとともに、この呼び出しに応答した居住者が来訪者との間で通話を成立させるにあたり当該来訪者からの受話音声を出力するための増設親機通話部を構成するスピーカ（以下、増設親機スピーカという。）３０１と、増設親機スピーカ３０１とともに増設親機通話部を構成し、居住者が来訪者との間で通話を成立させるにあたり送話音声を入力するためのマイク（以下、増設親機マイクという。）３０２と、玄関子機１の呼出ボタン１００を操作した来訪者からの呼び出しがあることを確認した居住者が応答操作を行うためのテンキーボタン等の操作部（以下、増設親機操作部という。）３０３とを有している。
【００２５】
図２は、本発明の実施例によるテレビインターホン装置において、居室親機２の具体的な構成を示すブロック図である。
【００２６】
図２のブロック図において、居室親機２には、前述の親機モニタ２００、（親機通話部を構成する）親機スピーカ２０１および親機マイク２０２、親機操作部２０３と、当該居室親機の構成各部／回路をそれぞれ制御するためのＣＰＵ（Central Processing Unit）２０４と、当該居室親機の構成各部／回路および玄関子機１をそれぞれ動作させるための電源（動作電源）を供給する電源回路２０５と、親機モニタ２００を駆動させる、すなわち、親機モニタ２００を出画状態とするためのモニタ駆動回路２０６と、図１のシステム構成図に示す玄関子機１のカメラ１０１にて撮像された映像信号を信号処理、例えば、キャプチャーする、またはデジタル処理した後、圧縮するための映像処理回路２０７と、映像処理回路２０７を介して信号処理された映像を保存するためのＲＡＭ（Random Access Memory）、ＥＰＲＯＭ（Erasable Programmable Read Only Memory）等のメモリ２０８と、親機スピーカ２０１および親機マイク２０２とともに親機通話部を構成し、当該親機スピーカから出力される音声信号（受話音声信号）を２線／４線変換する、または当該親機マイクに入力される音声信号（送話音声信号）を４線／２線変換して通話ラインを形成するための通話回路２０９と、ＣＰＵ２０４、電源回路２０５、映像処理回路２０７、（親機通話部を構成する）通話回路２０９の各部／回路および伝送線路Ｌ1の間の信号伝路ライン、電源供給ラインをそれぞれ形成するためのインターフェース（以下、子機側Ｉ／Ｆという。）２１０と、ＣＰＵ２０４、（親機通話部を構成する）通話回路２０９の各部／回路および増設親機３の間の（無線による）信号伝送ラインを形成するためのインターフェース（以下、増設親機側Ｉ／Ｆという。）２１１とが備えられている。
【００２７】
なお、居室親機２の電源回路２０５としては、商用電源（ＡＣ１００Ｖ）を整流／平滑してＤＣ電源を生成する当該電源回路や電池等が好適とされる。
【００２８】
このように構成された本発明の実施例によるテレビインターホン装置において、以下、具体的な動作について説明する。
［第１の動作］
本発明の実施例による第１の動作について説明する。
【００２９】
住戸内に在室中の居住者を呼び出すために、住戸の玄関に居る来訪者が図１のシステム構成図に示す玄関子機１の呼出ボタン１００を操作すると、伝送線路Ｌ1、図２のブロック図に示す居室親機２の子機側Ｉ／Ｆ２１０を介してＣＰＵ２０４へと呼出信号が伝送される。
【００３０】
居室親機２のＣＰＵ２０４は、玄関子機１からの呼出信号をもとに住戸の玄関に居る来訪者からの呼び出しがあることを検出し、その旨の呼出音（音声メッセージを含む。）を親機通話部を構成する親機スピーカ２０１から放音させ、モニタ駆動回路２０６を制御して親機モニタ２００が出画状態となるように駆動させるとともに、電源回路２０５を制御して玄関子機１のカメラ１０１を駆動させるための電源（動作電源）を子機側Ｉ／Ｆ２１０、伝送線路Ｌ1を介して当該玄関子機に供給し、さらに玄関子機１からの呼出信号を無線信号に信号処理して増設親機側Ｉ／Ｆ２１１から増設親機３へと出力する。
【００３１】
増設親機３は、居室親機２からの無線信号を電気信号である呼出信号へと信号処理し、この呼出信号をもとに住戸の玄関に居る来訪者からの呼び出しがあることを検出することにより、その旨の呼出音（音声メッセージを含む。）を増設親機通話部を構成する増設親機スピーカ３０１から放音させることができる、一方、電力消費が大きい増設親機モニタ３００は駆動せずに非出画状態で保持されることから、当該増設親機に内蔵された電池（図示せず）の消耗が抑えられて省電力化が図られる。
【００３２】
玄関子機１のカメラ１０１は、居室親機２の電源回路２０５からの電源（動作電源）を受電して駆動され、呼出操作を行った来訪者や玄関先の周囲近傍の映像の撮像を開始する。なお、カメラ１０１にて撮像された映像は、ＦＭ信号に変調される。このＦＭ信号は、伝送線路Ｌ1、居室親機２の子機側Ｉ／Ｆ２１０を介して映像処理回路２０７へと伝送される。
【００３３】
居室親機２の映像処理回路２０７は、玄関子機１からのＦＭ信号を復調させた映像信号を親機モニタ２００へと出力し、当該玄関子機のカメラ１０１にて撮像された映像、すなわち、呼出操作を行った来訪者や玄関先の周囲近傍のリアルタイムの映像を親機モニタ２００に出画させることができる。
【００３４】
次に、居室親機２の親機通話部を構成する親機スピーカ２０１から放音された呼出音（音声メッセージを含む。）および親機モニタ２００にリアルタイムで出画されている映像をもとに、住戸の玄関に居る来訪者からの呼び出しを当該来訪者の判別と併せて確認した住戸内に在室中の居住者が、後述する増設親機３の増設親機操作部３０３にて第１の応答操作が行われる前に、親機操作部２０３にて応答操作を行うと、この応答操作を検出したＣＰＵ２０４により親機通話部を構成する通話回路２０９が制御され、親機スピーカ２０１および親機マイク２０２と当該通話回路、子機側Ｉ／Ｆ２１１、伝送線路Ｌ1を介して玄関子機１の子機マイク１０２および子機スピーカ１０３との間の通話ラインが形成され、形成された通話ラインを介して通話を成立させることができ、特に、居室親機２の親機操作部２０３にて応答操作を行った居住者にとっては、来訪者の映像をリアルタイムで確認しながら通話を成立させることができる。
【００３５】
また、前述の応答操作を検出した居室親機２のＣＰＵ２０４は、親機応答信号を生成する。この親機応答信号は、無線信号に信号処理された後、増設親機側Ｉ／Ｆ２１１から増設親機３へと伝送される。
【００３６】
増設親機３は、居室親機２からの無線信号を電気信号である親機応答信号へと信号処理し、この親機応答信号をもとに当該居室親機の親機操作部２０３にて応答操作が行われたことを検出することにより、増設親機通話部を構成する増設親機スピーカ３０１からの呼出音（音声メッセージを含む。）の放音を停止させることができる。
【００３７】
次に、増設親機３の増設親機通話部を構成する増設親機スピーカ３０１から放音された呼出音（音声メッセージを含む。）をもとに、住戸の玄関に居る来訪者からの呼び出しがあることを確認した住戸内に在室中の居住者が、前述のような居室親機２の親機操作部２０３にて応答操作が行われる前に、増設親機操作部３０３にて第１の応答操作を行うと、第１の増設親機応答信号が生成される。この第１の増設親機応答信号は、無線信号に信号処理された後、居室親機２の増設親機側Ｉ／Ｆ２１１へと伝送される。
【００３８】
居室親機２の増設親機側Ｉ／Ｆ２１１は、増設親機３からの無線信号を受信し、電気信号に信号処理した第１の増設親機応答信号をＣＰＵ２０４へと出力する。
【００３９】
居室親機２のＣＰＵ２０４は、増設親機側Ｉ／Ｆ２１１を介して電気信号に信号処理された第１の増設親機応答信号をもとに、増設親機３の増設親機操作部３０３にて第１の応答操作が行われたことを検出する。このＣＰＵ２０４は、親機通話部を構成する親機スピーカ２０１からの呼出音（音声メッセージを含む。）の放音を停止させるとともに、映像処理回路２０７を介して復調された映像信号、すなわち、玄関子機１のカメラ１０１にてリアルタイムで撮像されている映像信号を無線信号に信号処理した後、増設親機側Ｉ／Ｆ２１１から増設親機３へと出力し、さらにモニタ駆動回路２０６を制御して電力消費が大きい親機モニタ２００を非出画状態にすることにより、電源回路２０５の消耗が抑えられて省電力化が図られる。
【００４０】
増設親機３は、居室親機２からの無線信号を電気信号である映像信号へと信号処理し、この映像信号をもとに玄関子機１のカメラ１０１にてリアルタイムで撮像されている映像、すなわち、呼出操作を行った来訪者や玄関先の周囲近傍等のリアルタイムの映像を増設親機モニタ３００に出画させることができる。
【００４１】
次に、増設親機３の増設親機通話部を構成する増設親機スピーカ３０１から放音された呼出音（音声メッセージを含む。）および増設親機モニタ３００にリアルタイムで出画されている映像をもとに、住戸の玄関に居る来訪者からの呼び出しを当該来訪者の判別と併せて確認した住戸内に在室中の居住者が、増設親機操作部３０３にて第２の応答操作を行うと、第２の増設親機応答信号が生成される。この第２の増設親機応答信号は、無線信号に信号処理された後、居室親機２の増設親機側Ｉ／Ｆ２１１へと伝送される。
【００４２】
居室親機２の増設親機側Ｉ／Ｆ２１１は、増設親機３からの無線信号を受信し、電気信号に信号処理した第２の増設親機応答信号をＣＰＵ２０４へと出力する。
【００４３】
居室親機２のＣＰＵ２０４は、増設親機側Ｉ／Ｆ２１１を介して電気信号に信号処理された第２の増設親機応答信号をもとに、増設親機３の増設親機操作部３０３にて第２の応答操作が行われたことを検出する。このＣＰＵ２０４は、映像処理回路２０７から当該ＣＰＵ、増設親機側Ｉ／Ｆ２１１を介して増設親機３への信号伝送ラインを維持、すなわち、増設親機３の増設親機モニタ３００での映像の出画状態を維持するとともに、親機通話部を構成する通話回路２０９を制御して増設親機３の増設親機通話部を構成する増設親機スピーカ３０１および増設親機マイク３０２と増設親機側Ｉ／Ｆ２１１、当該通話回路、子機側Ｉ／Ｆ２１０、伝送線路Ｌ1を介して玄関子機１の子機マイク１０２および子機スピーカ１０３との間の通話ラインを形成し、形成された通話ラインを介して通話を成立させることができ、特に、増設親機３の増設親機操作部３０３にて第２の応答操作を行った居住者にとっては、来訪者の映像をリアルタイムで確認しながら通話を成立させることができる。
【００４４】
なお、増設親機３の増設親機通話部を構成する増設親機スピーカ３０１から放音された呼出音（音声メッセージを含む。）および増設親機モニタ３００にリアルタイムで出画されている映像をもとに、住戸の玄関に居る来訪者からの呼び出しを当該来訪者の判別と併せて確認した住戸内に在室中の居住者が、前述のような来訪者との間で通話を成立させたくない場合には、増設親機操作部３０３にて所定の操作を行うことにより、当該増設親機および居室親機２はそれぞれ待受状態に復旧される（詳述せず）。
［第２の動作］
本発明の実施例による第２の動作について説明する。
【００４５】
住戸内に在室中の居住者を呼び出すために、住戸の玄関に居る来訪者が図１のシステム構成図に示す玄関子機１の呼出ボタン１００を操作すると、伝送線路Ｌ1、図２のブロック図に示す居室親機２の子機側Ｉ／Ｆ２１０を介してＣＰＵ２０４へと呼出信号が伝送される。
【００４６】
居室親機２のＣＰＵ２０４は、玄関子機１からの呼出信号をもとに住戸の玄関に居る来訪者からの呼び出しがあることを検出し、その旨の呼出音（音声メッセージを含む。）を親機通話部を構成する親機スピーカ２０１から放音させ、モニタ駆動回路２０６を制御して親機モニタ２００が出画状態となるように駆動させるとともに、電源回路２０５を制御して玄関子機１のカメラ１０１を駆動させるための電源（動作電源）を子機側Ｉ／Ｆ２１０、伝送線路Ｌ1を介して当該玄関子機に供給し、さらに玄関子機１からの呼出信号を無線信号に信号処理して増設親機側Ｉ／Ｆ２１１から増設親機３へと出力する。
【００４７】
増設親機３は、居室親機２からの無線信号を電気信号である呼出信号へと信号処理し、この呼出信号をもとに住戸の玄関に居る来訪者からの呼び出しがあることを検出することにより、その旨の呼出音（音声メッセージを含む。）を増設親機通話部を構成する増設親機スピーカ３０１から放音させることができる、一方、電力消費が大きい増設親機モニタ３００は駆動せずに非出画状態で保持されることから、当該増設親機に内蔵された電池（図示せず）の消耗が抑えられて省電力化が図られる。
【００４８】
玄関子機１のカメラ１０１は、居室親機２の電源回路２０５からの電源（動作電源）を受電して駆動され、呼出操作を行った来訪者や玄関先の周囲近傍の映像の撮像を開始する。なお、カメラ１０１にて撮像された映像は、ＦＭ信号に変調される。このＦＭ信号は、伝送線路Ｌ1、居室親機２の子機側Ｉ／Ｆ２１０を介して映像処理回路２０７へと伝送される。
【００４９】
なお、ここまでの動作は、前述の第１の動作と同様である。
【００５０】
居室親機２の映像処理回路２０７は、玄関子機１からのＦＭ信号を復調させた映像信号を親機モニタ２００へと出力し、当該玄関子機のカメラ１０１にて撮像された映像、すなわち、呼出操作を行った来訪者や玄関先の周囲近傍のリアルタイムの映像を親機モニタ２００に出画させるとともに、復調させた映像信号のうち少なくとも呼出操作が行われた時点のフレーム映像信号をキャプチャーする、またはデジタル処理した後、圧縮する。なお、映像処理回路２０７を介してキャプチャーされたデジタル映像信号、またはデジタル処理した後、圧縮されたデジタル映像信号は、ＣＰＵ２０４を介してメモリ２０８に保存される。
【００５１】
次に、居室親機２の親機通話部を構成する親機スピーカ２０１から放音された呼出音（音声メッセージを含む。）および親機モニタ２００にリアルタイムで出画されている映像をもとに、住戸の玄関に居る来訪者からの呼び出しを当該来訪者の判別と併せて確認した住戸内に在室中の居住者が、後述する増設親機３にて第１の応答操作が行われる前に、親機操作部２０３にて応答操作を行うと、この応答操作を検出したＣＰＵ２０４により親機通話部を構成する通話回路２０９が制御され、親機スピーカ２０１および親機マイク２０２と当該通話回路、子機側Ｉ／Ｆ２１１、伝送線路Ｌ1を介して玄関子機１の子機マイク１０２および子機スピーカ１０３との間の通話ラインが形成され、形成された通話ラインを介して通話を成立させることができ、特に、居室親機２の親機操作部２０３にて応答操作を行った居住者にとっては、来訪者の映像をリアルタイムで確認しながら通話を成立させることができる。
【００５２】
また、前述の応答操作を検出した居室親機２のＣＰＵ２０４は、親機応答信号を生成する。この親機応答信号は、前述の第１の動作と同様、無線信号に信号処理された後、増設親機側Ｉ／Ｆ２１１から増設親機３へと伝送される。
【００５３】
増設親機３は、居室親機２からの無線信号を電気信号である親機応答信号へと信号処理し、この親機応答信号をもとに当該居室親機の親機操作部２０３にて応答操作が行われたことを検出することにより、増設親機通話部を構成する増設親機スピーカ３０１からの呼出音（音声メッセージを含む。）の放音を停止させることができる。
【００５４】
次に、増設親機３の増設親機通話部を構成する親機スピーカ２０１から放音された呼出音（音声メッセージを含む。）をもとに、住戸の玄関に居る来訪者からの呼び出しがあることを確認した住戸内に在室中の居住者が、前述のような居室親機２の親機操作部２０３にて応答操作が行われる前に、増設親機操作部３０３にて第１の応答操作を行うと、第１の増設親機応答信号が生成される。この第１の増設親機応答信号は、前述の第１の動作と同様、無線信号に信号処理された後、居室親機２の増設親機側Ｉ／Ｆ２１１へと伝送される。
【００５５】
居室親機２の増設親機側Ｉ／Ｆ２１１は、増設親機３からの無線信号を受信し、電気信号に信号処理した第１の増設親機応答信号をＣＰＵ２０４へと出力する。
【００５６】
居室親機２のＣＰＵ２０４は、増設親機側Ｉ／Ｆ２１１を介して電気信号に信号処理された第１の増設親機応答信号をもとに、増設親機３の増設親機操作部３０３にて第１の応答操作が行われたことを検出する。このＣＰＵ２０４は、親機通話部を構成する親機スピーカ２０１からの呼出音（音声メッセージを含む。）の放音を停止させるとともに、メモリ２０８に予め保存されていたデジタル映像信号、すなわち、少なくとも玄関子機１の呼出ボタン１００が操作された時点の来訪者や玄関先の周囲近傍のデジタル映像信号を読み出し、さらにモニタ駆動回路２０６を制御して電力消費が大きい親機モニタ２００を非出画状態にすることにより、電源回路２０５消耗が抑えられて省電力化が図られる。なお、メモリ２０８から読み出されたデジタル映像信号は、無線信号に信号処理された後、増設親機側Ｉ／Ｆ２１１から増設親機３へと伝送される。
【００５７】
増設親機３は、居室親機２からの無線信号を電気信号である映像信号に信号処理し、この映像信号をもとに少なくとも玄関子機１の呼出ボタン１００が操作された時点の来訪者や玄関先の周囲近傍の映像を、データ量の少ない静止画像として増設親機モニタ３００に出画させることができる。
【００５８】
次に、増設親機３の増設親機通話部を構成する増設親機スピーカ３０１から放音された呼出音（音声メッセージを含む。）および増設親機モニタ３００に出画されている静止画像、すなわち、少なくとも呼出操作が行われた時点の来訪者や玄関先の周囲近傍の静止画像をもとに、住戸の玄関に居る来訪者からの呼び出しを当該来訪者の判別と併せて確認した住戸内に在室中の居住者が、増設親機操作部３０３を操作して第２の応答操作を行うと、第２の増設親機応答信号が生成される。この第２の増設親機応答信号は、前述の第１の動作と同様、無線信号に信号処理された後、居室親機２の増設親機側Ｉ／Ｆ２１１へと伝送される。
【００５９】
居室親機２の増設親機側Ｉ／Ｆ２１１は、増設親機３からの無線信号を受信し、電気信号に信号処理した第２の増設親機応答信号をＣＰＵ２０４へと出力する。
【００６０】
居室親機２のＣＰＵ２０４は、増設親機側Ｉ／Ｆ２１１を介して電気信号に信号処理された第２の増設親機応答信号をもとに、増設親機３の増設親機操作部３０３にて第２の応答操作が行われたことを検出する。このＣＰＵ２０４は、映像処理回路２０７からの映像信号の信号伝送ラインを切り替えて、映像処理回路２０７から当該ＣＰＵ、増設親機側Ｉ／Ｆ２１１を介して増設親機３への信号伝送ラインを形成するとともに、親機通話部を構成する通話回路２０９を制御して増設親機３の親機通話部を構成する増設親機スピーカ３０１および増設親機マイク３０２と増設親機側Ｉ／Ｆ２１１、当該通話回路、子機側Ｉ／Ｆ２１０、伝送線路Ｌ1を介して玄関子機１の子機マイク１０２および子機スピーカ１０３との間の通話ラインを形成し、形成された通話ラインを介して通話を成立させることができ、特に、増設親機３の増設親機操作部３０３にて第２の応答操作を行った居住者にとっては、静止画像から切り替えられた来訪者の映像をリアルタイムで確認しながら通話を成立させることができる。
【００６１】
なお、増設親機３の増設親機通話部を構成する増設親機スピーカ３０１から放音された呼出音（音声メッセージを含む。）および増設親機モニタ３００に出画されている静止画像、すなわち、少なくとも呼出操作が行われた時点の来訪者や玄関先の周囲近傍の静止画像をもとに、住戸の玄関に居る来訪者からの呼び出しを当該来訪者の判別と併せて確認した住戸内に在室中の居住者が、前述のような来訪者との間で通話を成立させたくない場合には、増設親機操作部３０３にて所定の操作を行うことにより、当該増設親機および居室親機２はそれぞれ待受状態に復旧される（詳述せず）。
［第３の動作］
本発明の実施例による第３の動作について説明する。
【００６２】
住戸内に在室中の居住者を呼び出すために、住戸の玄関に居る来訪者が図１のシステム構成図に示す玄関子機１の呼出ボタン１００を操作すると、伝送線路Ｌ1、図２のブロック図に示す居室親機２の子機側Ｉ／Ｆ２１０を介してＣＰＵ２０４へと呼出信号が伝送される。
【００６３】
居室親機２のＣＰＵ２０４は、玄関子機１からの呼出信号をもとに住戸の玄関に居る来訪者からの呼び出しがあることを検出し、その旨の呼出音（音声メッセージを含む。）を親機通話部を構成する親機スピーカ２０１から放音させるとともに、電源回路２０５を制御して玄関子機１のカメラ１０１を駆動させるための電源（動作電源）を子機側Ｉ／Ｆ２１０、伝送線路Ｌ1を介して当該玄関子機に供給し、さらに玄関子機１からの呼出信号を無線信号に信号処理して増設親機側Ｉ／Ｆ２１１から増設親機３へと出力する。また、ＣＰＵ２０４は、モニタ駆動回路２０６を制御せずに電力消費が大きい親機モニタ２００を非出画状態で保持するため、電源回路２０５の消耗が抑えられて省電力化が図られる。
【００６４】
玄関子機１のカメラ１０１は、居室親機２の電源回路２０５からの電源（動作電源）を受電して駆動され、呼出操作を行った来訪者や玄関先の周囲近傍の映像の撮像を開始する。なお、カメラ１０１にて撮像された映像は、ＦＭ信号に変調される。このＦＭ信号は、伝送線路Ｌ1、居室親機２の子機側Ｉ／Ｆ２１０を介して映像処理回路２０７へと伝送される。
【００６５】
居室親機２の映像処理回路２０７は、玄関子機１からのＦＭ信号を復調する。なお、映像処理回路２０７を介して復調された映像信号は、ＣＰＵ２０４を介して接続された増設親機側Ｉ／Ｆ２１１から無線信号で出力され、増設親機３へと伝送される。
【００６６】
増設親機３は、居室親機２からの無線信号を電気信号である呼出信号、映像信号へとそれぞれ信号処理し、この呼出信号をもとに住戸の玄関に居る来訪者からの呼び出しがあることを検出し、その旨の呼出音（音声メッセージを含む。）を増設親機通話部を構成する増設親機スピーカ３０１から放音させるとともに、映像信号をもとに玄関子機１のカメラ１０１にて撮像された映像、すなわち、呼出操作を行った来訪者や玄関先の周囲近傍のリアルタイムの映像を増設親機モニタ３００に出画させることができる。
【００６７】
次に、増設親機３の増設親機通話部を構成する増設親機スピーカ３０１から放音された呼出音（音声メッセージを含む。）および増設親機モニタ３００に出画されている映像をもとに、住戸の玄関に居る来訪者からの呼び出しを当該来訪者の判別と併せて確認した住戸内に在室中の居住者が、後述する居室親機２の親機操作部２０３にて第１の応答操作が行われる前に、増設親機操作部３０３にて応答操作を行うと、増設親機応答信号が生成される。この増設親機応答信号は、無線信号に信号処理された後、居室親機２の増設親機側Ｉ／Ｆ２１１へと伝送される。
【００６８】
居室親機２の増設親機側Ｉ／Ｆ２１１は、増設親機３からの無線信号を受信し、電気信号に信号処理した増設親機応答信号をＣＰＵ２０４へと出力する。
【００６９】
居室親機２のＣＰＵ２０４は、増設親機側Ｉ／Ｆ２１１を介して電気信号に信号処理された増設親機応答信号をもとに、増設親機３の増設親機操作部３０３にて応答操作が行われたことを検出する。このＣＰＵ２０４は、親機通話部を構成する親機スピーカ２０１からの呼出音（音声メッセージを含む。）の放音を停止させるとともに、映像処理回路２０７から当該ＣＰＵ、増設親機側Ｉ／Ｆ２１１を介して増設親機３への映像信号の信号伝送ラインの形成を維持し、さらに親機通話部を構成する通話回路２０９を制御して増設親機３の親機通話部を構成する増設親機スピーカ３０１および増設親機マイク３０２と増設親機側Ｉ／Ｆ２１１、当該通話回路、子機側Ｉ／Ｆ２１０、伝送線路Ｌ1を介して玄関子機１の子機マイク１０２および子機スピーカ１０３との間の通話ラインを形成することにより、形成された通話ラインを介して通話を成立させることができ、特に、増設親機３の増設親機操作部３０３にて応答操作を行った居住者にとっては、来訪者の映像をリアルタイムで確認しながら通話を成立させることができる。
【００７０】
次に、居室親機２の親機通話部を構成する親機スピーカ２０１から放音された呼出音（音声メッセージを含む。）をもとに、住戸の玄関に居る来訪者からの呼び出しがあることを確認した住戸内に在室中の居住者が、前述のような増設親機３の増設親機操作部３０３にて応答操作が行われる前に、親機操作部２０３にて第１の応答操作を行うと、この操作を検出したＣＰＵ２０４の制御により当該ＣＰＵにて第１の親機応答信号が生成されるとともに、モニタ駆動回路２０６が制御されて親機モニタ２００が出画状態となり、さらに映像処理回路２０７が制御されて当該映像処理回路からの出力である復調された映像信号を親機モニタ２００へと出力することにより、玄関子機１のカメラ１０１にてリアルタイムで撮像されている映像、すなわち、呼出操作を行った来訪者や玄関先の周囲近傍のリアルタイムの映像を親機モニタ２００に出画させることができる。なお、ＣＰＵ２０４にて生成された第１の親機応答信号は、無線信号に信号処理された後、増設親機側Ｉ／Ｆ２１１から増設親機３へと伝送される。
【００７１】
増設親機３は、居室親機２からの無線信号を電気信号である第１の親機応答信号へと信号処理し、この第１の親機応答信号をもとに当該居室親機の親機操作部２０３にて第１の応答操作が行われたことを検出し、増設親機通話部を構成する増設親機スピーカ３０１からの呼出音（音声メッセージを含む。）の放音を停止させるとともに、呼出操作を行った来訪者や玄関先の周囲近傍のリアルタイムの映像が出画されている電力消費が大きい増設親機モニタ３００を非出画状態にすることにより、当該増設親機に内蔵された電池（図示せず）の消耗が抑えられて省電力化が図られる。
【００７２】
次に、居室親機２の親機構成部を構成する親機スピーカ２０１からの呼出音（音声メッセージを含む。）の放音および親機モニタ２００にリアルタイムで出画されている映像をもとに、住戸の玄関に居る来訪者からの呼び出しを当該来訪者の判別と併せて確認した居住者が、親機操作部２０３にて第２の応答操作を行うと、この操作を検出したＣＰＵ２０４は、映像処理回路２０７から親機モニタ２００への映像信号の信号伝送ラインの形成を維持するとともに、親機通話部を構成する通話回路２０９を制御して親機スピーカ２０１および親機マイク２０２と当該通話回路、子機側Ｉ／Ｆ２１０、伝送線路Ｌ1を介して玄関子機１の子機マイク１０２および子機スピーカ１０３との間の通話ラインを形成し、形成された通話ラインを介して通話を成立させることができ、特に、居室親機２の親機操作部２０３にて第２の応答操作を行った居住者にとっては、来訪者の映像をリアルタイムで確認しながら通話を成立させることができる。
【００７３】
なお、居室親機２の親機通話部を構成する親機スピーカ２０１から放音された呼出音（音声メッセージを含む。）および親機モニタ２００にリアルタイムで出画されている映像をもとに、住戸の玄関に居る来訪者からの呼び出しを当該来訪者の判別と併せて確認した住戸内に在室中の居住者が、前述のような来訪者との間で通話を成立させたくない場合には、親機操作部２０３にて所定の操作を行うことにより、当該居室親機および増設親機３はそれぞれ待受状態に復旧される（詳述せず）。
［第４の動作］
本発明の実施例による第４の動作について説明する。
【００７４】
住戸内に在室中の居住者を呼び出すために、住戸の玄関に居る来訪者が図１のシステム構成図に示す玄関子機１の呼出ボタン１００を操作すると、伝送線路Ｌ1、図２のブロック図に示す居室親機２の子機側Ｉ／Ｆ２１０を介してＣＰＵ２０４へと呼出信号が伝送される。
【００７５】
居室親機２のＣＰＵ２０４は、玄関子機１からの呼出信号をもとに住戸の玄関に居る来訪者からの呼び出しがあることを検出し、その旨の呼出音（音声メッセージを含む。）を親機通話部を構成する親機スピーカ２０１から放音させるとともに、電源回路２０５を制御して玄関子機１のカメラ１０１を駆動させるための電源（動作電源）を子機側Ｉ／Ｆ２１０、伝送線路Ｌ1を介して当該玄関子機に供給し、さらに玄関子機１からの呼出信号を無線信号に信号処理して増設親機側Ｉ／Ｆ２１１から増設親機３へと出力する。また、ＣＰＵ２０４は、モニタ駆動回路２０６を制御せずに電力消費が大きい親機モニタ２００を非出画状態で保持するため、電源回路２０５の消耗が抑えられて省電力化が図られる。
【００７６】
玄関子機１のカメラ１０１は、居室親機２の電源回路２０５からの電源（動作電源）を受電して駆動され、呼出操作を行った来訪者や玄関先の周囲近傍の映像の撮像を開始する。なお、カメラ１０１にて撮像された映像は、ＦＭ信号に変調される。このＦＭ信号は、伝送線路Ｌ1、居室親機２の子機側Ｉ／Ｆ２１０を介して映像処理回路２０７へと伝送される。
【００７７】
なお、ここまでの動作は、前述の第３の動作と同様である。
【００７８】
居室親機２の映像処理回路２０７は、玄関子機１からのＦＭ信号を復調して映像信号を生成するとともに、この映像信号のうち少なくとも呼出操作が行われた時点のフレーム映像信号をキャプチャーする、またはデジタル処理した後、圧縮する。なお、映像処理回路２０７を介してキャプチャーされたデジタル映像信号、またはデジタル処理した後、圧縮されたデジタル映像信号は、ＣＰＵ２０４を介してメモリ２０８に保存される。また、映像処理回路２０７を介して復調された映像信号は、ＣＰＵ２０４を介して接続された増設親機側Ｉ／Ｆ２１１から無線信号で出力され、増設親機３へと伝送される。
【００７９】
増設親機３は、居室親機２からの無線信号を電気信号である呼出信号、映像信号へとそれぞれ信号処理し、この呼出信号をもとに住戸の玄関に居る来訪者からの呼び出しがあることを検出し、その旨の呼出音（音声メッセージを含む。）を増設親機通話部を構成する増設親機スピーカ３０１から放音させるとともに、映像信号をもとに玄関子機１のカメラ１０１にて撮像された映像、すなわち、呼出操作を行った来訪者や玄関先の周囲近傍のリアルタイムの映像を増設親機モニタ３００に出画させることができる。
【００８０】
次に、増設親機３の増設親機通話部を構成する増設親機スピーカ３０１から放音された呼出音（音声メッセージを含む。）および増設親機モニタ３００に出画されている映像をもとに、住戸の玄関に居る来訪者からの呼び出しを当該来訪者の判別と併せて確認した住戸内に在室中の居住者が、後述する居室親機２の親機操作部２０３にて第１の応答操作が行われる前に、増設親機操作部３０３にて応答操作を行うと、増設親機応答信号が生成される。この増設親機応答信号は、前述の第３の動作と同様、無線信号に信号処理された後、居室親機２の増設親機側Ｉ／Ｆ２１１へと伝送される。
【００８１】
居室親機２の増設親機側Ｉ／Ｆ２１１は、増設親機３からの無線信号を受信し、電気信号に信号処理した増設親機応答信号をＣＰＵ２０４へと出力する。
【００８２】
居室親機２のＣＰＵ２０４は、増設親機側Ｉ／Ｆ２１１を介して電気信号に信号処理された増設親機応答信号をもとに、増設親機３の増設親機操作部３０３にて応答操作が行われたことを検出する。このＣＰＵ２０４は、親機通話部を構成する親機スピーカ２０１からの呼出音（音声メッセージを含む。）の放音を停止させるとともに、映像処理回路２０７から当該ＣＰＵ、増設親機側Ｉ／Ｆ２１１を介して増設親機３への映像信号の信号伝送ラインの形成を維持し、さらに親機通話部を構成する通話回路２０９を制御して増設親機３の親機通話部を構成する増設親機スピーカ３０１および増設親機マイク３０２と、増設親機側Ｉ／Ｆ２１１、当該通話回路、子機側Ｉ／Ｆ２１０、伝送線路Ｌ1を介して玄関子機１の子機マイク１０２および子機スピーカ１０３との間の通話ラインを形成することにより、形成された通話ラインを介して通話を成立させることができ、特に、増設親機３の増設親機操作部３０３にて応答操作を行った居住者にとっては、来訪者の映像をリアルタイムで確認しながら通話を成立させることができる。
【００８３】
次に、居室親機２の親機通話部を構成する親機スピーカ２０１から放音された呼出音（音声メッセージを含む。）をもとに、住戸の玄関に居る来訪者からの呼び出しがあることを確認した住戸内に在室中の居住者が、前述のような増設親機３の増設親機操作部３０３にて応答操作が行われる前に、親機操作部２０３にて第１の応答操作を行うと、この操作を検出したＣＰＵ２０４の制御により当該ＣＰＵにて第１の親機応答信号が生成されるとともに、モニタ駆動回路２０６が制御されて親機モニタ２００が出画状態となり、さらにメモリ２０８に予め保存されていたデジタル映像信号、すなわち、少なくとも玄関子機１の呼出ボタン１００が操作された時点の来訪者や玄関先の周囲近傍のデジタル映像信号が読み出される。このデジタル映像信号は、ＣＰＵ２０４を介して接続された映像処理回路２０７にてＤ／Ａ（デジタル／アナログ）変換された後、親機モニタ２００に静止画像として出画させることができる。なお、ＣＰＵ２０４にて生成された第１の親機応答信号は、前述の第３の動作と同様、無線信号に信号処理された後、増設親機側Ｉ／Ｆ２１１から増設親機３へと伝送される。
【００８４】
増設親機３は、居室親機２からの無線信号を電気信号である第１の親機応答信号へと信号処理し、この第１の親機応答信号をもとに当該居室親機の親機操作部２０３にて第１の応答操作が行われたことを検出し、増設親機通話部を構成する増設親機スピーカ３０１からの呼出音（音声メッセージを含む。）の放音を停止させるとともに、呼出操作を行った来訪者や玄関先の周囲近傍のリアルタイムの映像が出画されている電力消費が大きい増設親機モニタ３００を非出画状態にすることにより、当該増設親機に内蔵された電池（図示せず）の消耗が抑えられて省電力化が図られる。
【００８５】
次に、居室親機２の親機構成部を構成する親機スピーカ２０１からの呼出音（音声メッセージを含む。）の放音および親機モニタ２００に出画されている静止画像、すなわち、少なくとも呼出操作が行われた時点の来訪者や玄関先の周囲近傍の静止画像をもとに、住戸の玄関に居る来訪者からの呼び出しを当該来訪者の判別と併せて確認した住戸内に在室中の居住者が、親機操作部２０３にて第２の応答操作を行うと、この操作を検出したＣＰＵ２０４は、メモリ２０８から映像処理回路２０７を介して親機モニタ２００への映像信号の信号伝送ラインを切り替えて、子機側Ｉ／Ｆ２１０から映像処理回路２０７を介して親機モニタ２００への映像信号の信号伝送ラインを形成するとともに、親機通話部を構成する通話回路２０９を制御して親機スピーカ２０１および親機マイク２０２と当該通話回路、子機側Ｉ／Ｆ２１０、伝送線路Ｌ1を介して玄関子機１の子機マイク１０２および子機スピーカ１０３との間の通話ラインを形成し、形成された通話ラインを介して通話を成立させることができ、特に、居室親機２の親機操作部２０３にて第２の応答操作を行った居住者にとっては、来訪者の映像をリアルタイムで確認しながら通話を成立させることができる。
【００８６】
なお、居室親機２の親機通話部を構成する親機スピーカ２０１から放音された呼出音（音声メッセージを含む。）および親機モニタ２００に出画されている静止画像、すなわち、少なくとも呼出操作が行われた時点の来訪者や玄関先の周囲近傍の静止画像をもとに、住戸の玄関に居る来訪者からの呼び出しを当該来訪者の判別と併せて確認した住戸内に在室中の居住者が、前述のような来訪者との間で通話を成立させたくない場合には、親機操作部２０３にて所定の操作を行うことにより、当該居室親機および増設親機３はそれぞれ待受状態に復旧される（詳述せず）。
【図面の簡単な説明】
【００８７】
【図１】本発明の実施例によるテレビインターホン装置を示すシステム構成図。
【図２】本発明の実施例によるテレビインターホン装置において、居室親機の具体的な構成を示すブロック図。
【符号の説明】
【００８８】
１……玄関子機
１００……呼出ボタン
１０１……カメラ
１０２……子機マイク（マイク）
１０３……子機スピーカ（スピーカ）
２……居室親機
２００……親機モニタ
２０１……親機スピーカ（親機通話部）
２０２……親機マイク（親機通話部）
２０８……メモリ
２０９……通話回路（親機通話部）
３……増設親機
３００……増設親機モニタ
３０１……増設親機スピーカ（増設親機通話部）
３０２……増設親機マイク（増設親機通話部）
【図１】
2006135624.tif 000003
【図２】
2006135624.tif 000004